【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
経路案内装置であって、
出発地から目的地までの経路を表す経路情報を設定する経路情報設定手段と、
利用者の現在地を表す現在位置情報を取得する現在位置取得手段と、
前記経路の一部において、前記利用者による前記経路上の進行を妨げる妨害イベントを、前記利用者が前記経路の一部を通行する前に、前記現在位置情報を用いて予測する妨害イベント予測手段と、
前記妨害イベントが予測された場合に、前記利用者が前記経路の一部を通行する際の前記利用者に対する前記妨害イベントの影響を抑制する妨害抑制イベントを前記利用者に提示する妨害抑制イベント提示手段と、
を備える、経路案内装置。
【請求項２】
請求項１に記載の経路案内装置は、さらに、
複数の領域を特定する領域特定情報を取得する領域特定情報取得手段と、
各前記領域の特徴を表す特徴情報を取得する特徴情報取得手段と、
を備え、
前記妨害抑制イベント提示手段は、前記複数の領域のうちの前記経路が通過する通過領域の前記特徴情報を用いて、提示すべき前記妨害抑制イベントの内容を決定する、経路案内装置。
【請求項３】
請求項２に記載の経路案内装置において、
前記複数の領域のうちの少なくとも一部には、複数種類の前記特徴情報が設定されている、経路案内装置。
【請求項４】
請求項１ないし請求項３に記載の経路案内装置は、さらに、
道路を複数に分割した区間について渋滞が発生する時間帯を示す渋滞情報を取得する渋滞情報取得手段を備え、
前記経路の一部における前記妨害イベントは、前記経路に含まれる前記区間の渋滞であり、
前記妨害イベント予測手段は、前記現在位置情報に加えて、前記渋滞情報を用いて、前記渋滞の発生を予測する、経路案内装置。
【請求項５】
請求項４に記載の経路案内装置は、さらに、
複数の前記利用者の前記現在位置情報を少なくとも含むプローブ情報を収集するプローブ情報収集手段と、
前記渋滞が発生する時間帯を、前記プローブ情報を用いて分析する分析手段と、
を備え、
前記渋滞情報は、前記分析の結果を用いて生成される、経路案内装置。
【請求項６】
請求項１ないし請求項３に記載の経路案内装置は、さらに、
時刻表にしたがって運行される輸送手段の前記時刻表の情報である時刻表情報を取得する時刻表情報取得手段と、
現在時刻を表す現在時刻情報を取得するための現在時刻取得手段と、
を備え、
前記経路は、前記輸送手段を用いる区間を含み、
前記経路の一部における前記妨害イベントは、前記区間において前記輸送手段の運行を待つことであり、
前記妨害イベント予測手段は、前記現在位置情報に加えて、前記現在時刻情報と前記時刻表情報を用いて、前記輸送手段の運行待ちの発生を予測する、経路案内装置。
【請求項７】
請求項１ないし請求項６のいずれかに記載の経路案内装置は、さらに、
前記利用者の移動手段を認識する移動手段認識手段を備え、
前記妨害抑制イベント提示手段は、前記移動手段に応じて、提示すべき前記妨害抑制イベントの内容を決定する、経路案内装置。
【請求項８】
請求項１ないし請求項７のいずれかに記載の経路案内装置は、さらに、
前記妨害抑制イベントを利用者に案内する場合に前記目的地に前記利用者が到着する第１の到着時間と、前記妨害抑制イベントを利用者に案内しない場合に前記目的地に利用者が到着する第２の到着時間とを予測する到着時間予測手段を備え、
妨害抑制イベント提示手段は、前記妨害抑制イベントに加えて、前記第１の到着時間、または、前記第１の到着時間と前記第２の到着時間との差分のいずれかを少なくとも含む時間情報を前記利用者に提示する、経路案内装置。
【請求項９】
請求項１ないし請求項８のいずれかに記載の経路案内装置において、
前記妨害抑制イベントは、前記目的地以外の施設への立ち寄りを含み、
前記経路案内装置は、さらに、
前記施設における消費時間に関連する消費時間情報を取得する消費時間情報取得手段を備え、
前記妨害抑制イベント提示手段は、前記消費時間情報を用いて、立ち寄りを案内すべき前記施設を決定する、経路案内装置。
【請求項１０】
請求項１ないし請求項９のいずれかに記載の経路案内装置において、
前記妨害抑制イベントは、前記利用者が前記経路の一部を通行する時刻をずらすことにより前記利用者に対する前記妨害イベントの影響を抑制するイベントである、経路案内装置。
【請求項１１】
コンピュータを用いた経路案内方法であって、
出発地から目的地までの経路を表す経路情報を設定し、
利用者の現在地を表す現在位置情報を取得し、
前記経路の一部において、前記利用者による前記経路上の進行を妨げる妨害イベントを、前記利用者が前記経路の一部を通行する前に、前記現在位置情報を用いて予測し、
前記妨害イベントが予測された場合に、前記利用者が前記経路の一部を通行する際の前記利用者に対する前記妨害イベントの影響を抑制する妨害抑制イベントを前記利用者に提示する、経路案内方法。
【請求項１２】
経路案内を実行するためのコンピュータプログラムであって、
出発地から目的地までの経路を表す経路情報を設定する第１の機能と、
利用者の現在地を表す現在位置情報を取得する第２の機能と、
前記経路の一部において、前記利用者による前記経路上の進行を妨げる妨害イベントを、前記利用者が前記経路の一部を通行する前に、前記現在位置情報を用いて予測する第３の機能と、
前記妨害イベントが予測された場合に、前記利用者が前記経路の一部を通行する際の前記利用者に対する前記妨害イベントの影響を抑制する妨害抑制イベントを前記利用者に提示する第４の機能と、
をコンピュータに実現させる、コンピュータプログラム。
【請求項１３】
端末装置であって、
出発地および目的地を示す地点情報と、利用者の現在地を表す現在位置情報と、を送信する手段と、
前記地点情報に基づきサーバー装置により設定された前記出発地から前記目的地までの経路の一部において、前記現在位置情報に基づき前記サーバー装置により予測された前記利用者による前記経路上の進行を妨げる妨害イベントについて、前記利用者が前記経路の一部を通行する際の前記利用者に対する前記妨害イベントの影響を抑制する妨害抑制イベントの情報を受信する手段と、を備える、端末装置。
【手続補正２】
【補正対象書類名】明細書
【補正対象項目名】０００６
【補正方法】変更
【補正の内容】
【０００６】
本発明は、上述の課題の少なくとも一部を解決するために以下の形態または適用例として実現することが可能である。
第１の形態の装置は、経路案内装置であって、
出発地から目的地までの経路を表す経路情報を設定する経路情報設定手段と、
利用者の現在地を表す現在位置情報を取得する現在位置取得手段と、
前記経路の一部において、前記利用者による前記経路上の進行を妨げる妨害イベントを、前記利用者が前記経路の一部を通行する前に、前記現在位置情報を用いて予測する妨害イベント予測手段と、
前記妨害イベントが予測された場合に、前記利用者が前記経路の一部を通行する際の前記利用者に対する前記妨害イベントの影響を抑制する妨害抑制イベントを前記利用者に提示する妨害抑制イベント提示手段と、を備える。この経路案内装置によれば、経路の一部において妨害イベントが予測された場合に、経路の一部を通行する際の利用者に対する妨害イベントの影響を抑制する妨害抑制イベントを提示するので、利用者は妨害抑制イベントを実行することにより、妨害イベントの影響を抑制することができる。この結果、経路案内サービスにおいて、利用者の利便性を向上することができる。